(57)【要約】【課題】止水性を向上できる建具を提供すること。【解決手段】段窓１は、窓ユニット４Ａ，４Ｂが無目７を介して上下に連結されてなり、窓ユニット４Ａ，４Ｂは窓枠および面材を備える、各窓枠の縦枠１３は、枠見込み面部１３４と、枠見込み面部１３４から外周側に延出した縦枠ヒレ部１３６とを有する。窓ユニット４Ａの縦枠１３の端部と、窓ユニット４Ｂの縦枠１３の端部との間には、止水部８０が構成される。止水部８０は、無目７に装着された装着部および縦枠ヒレ部１３６間に配置されたヒレ構成部８１２を有したヒレ構成部材８１と、枠見込み面部１３４の外面および縦枠ヒレ部１３６の屋外面に沿った止水シート８４と、縦枠ヒレ部１３６よりも屋外側において枠見込み面部１３４間を覆って配置されたキャップ部材８５とによって構成される。止水シート８４は、ヒレ構成部８１２の屋外面に沿っている。【選択図】図２
2020016110.tif 000002
【特許請求の範囲】
【請求項１】
屋内外を仕切る少なくとも二つの窓ユニットが連結材を介して連結された建具であって、
前記各窓ユニットは、前記連結材に連結される連結枠材を含む枠材を枠組みしてなる枠体と、前記枠体内に配置された面材とを備えており、
前記枠材のうち前記連結枠材の長手方向における端部に取り付けられる端枠材は、前記連結枠材に取り付けられた枠見込み面部と、前記枠見込み面部から外周側に延出した枠ヒレ部とを有しており、
前記連結された窓ユニットのうちの一方の前記端枠材の端部と、前記連結された窓ユニットのうちの他方の前記端枠材の端部との間には、止水部が構成されており、
前記止水部は、前記連結材に装着された装着部および前記枠ヒレ部間に配置されたヒレ構成部を有したヒレ構成部材と、前記一方の端枠材および前記他方の端枠材における前記枠見込み面部の外面および前記枠ヒレ部の屋外面に沿った止水シートと、前記枠ヒレ部よりも屋外側において前記枠見込み面部間を覆って配置されたキャップ部材とによって構成されており、
前記止水シートは、前記ヒレ構成部の屋外面に沿っている
ことを特徴とする建具。
【請求項２】
請求項１に記載の建具において、
前記ヒレ構成部材には、前記連結材および前記ヒレ構成部の間に配置される弾性止水部材が装着されており、
前記弾性止水部材のうち前記ヒレ構成部よりも屋外側に位置する部分は、前記キャップ部材によって圧縮されている
ことを特徴とする建具。
【請求項３】
請求項１または請求項２に記載の建具において、
前記枠体は、前記枠材として上下の横枠および左右の縦枠を備えており、
前記連結される窓ユニットのうちの一方の窓ユニットにおいては、前記上下の横枠のうち下側の横枠が前記連結枠材として構成され、且つ、前記左右の縦枠が前記端枠材として構成されており、
前記連結される窓ユニットのうちの他方の窓ユニットにおいては、前記上下の横枠のうち上側の横枠が前記連結枠材として構成され、且つ、前記左右の縦枠が前記端枠材として構成されており、
前記連結材は、前記一方の窓ユニットの前記下側の横枠と前記他方の窓ユニットの前記上側の横枠とが連結された無目によって構成されている
ことを特徴とする建具。
【請求項４】
請求項１または請求項２に記載の建具において、
前記枠体は、前記枠材として上下の横枠および左右の縦枠を備えており、
前記連結される窓ユニットのうちの一方の窓ユニットにおいては、前記左右の縦枠のうち右側の縦枠が前記連結枠材として構成され、且つ、前記上下の横枠が前記端枠材として構成されており、
前記連結される窓ユニットのうちの他方の窓ユニットにおいては、前記左右の縦枠のうち左側の縦枠が前記連結枠材として構成され、且つ、前記上下の横枠が前記端枠材として構成されており、
前記連結材は、前記一方の窓ユニットの前記右側の縦枠と前記他方の窓ユニットの前記左側の縦枠とが連結された方立によって構成されている
ことを特徴とする建具。
【請求項５】
請求項１または請求項２に記載の建具において、
前記各窓ユニットのうちの少なくとも一つの第一窓ユニットは、前記第一窓ユニットに対して上下方向に隣り合う第二窓ユニットに無目を介して上下に連結されていると共に、前記第一窓ユニットおよび前記第二窓ユニットに対して左右方向に隣り合う第三窓ユニットに方立を介して左右に連結されており、
前記枠体は、前記枠材として上下の横枠および左右の縦枠を備えており、
前記第一窓ユニット、前記第二窓ユニットおよび前記第三窓ユニットにおいては、前記上下の横枠のうち前記無目側に位置する横枠および前記左右の縦枠のうち前記方立側に位置する縦枠が前記連結枠材としてそれぞれ構成され、且つ、前記建具の外周を構成していると共に前記連結枠材の端部に位置する縦枠および横枠が前記端枠材としてそれぞれ構成されており、
前記連結材は、前記窓ユニットの前記各連結枠材が連結された前記無目および前記方立によって構成されている
ことを特徴とする建具。
【請求項６】
請求項５に記載の建具において、
前記止水部は、更に、前記方立に連結された前記連結枠材における前記無目側の端部間に構成されており、
前記方立に連結された前記連結枠材の前記枠ヒレ部と前記止水部の前記ヒレ構成部との上下方向に沿った外側縁は、前記方立に上下方向に沿って設けられた気密材に当接している
ことを特徴とする建具。
【発明の詳細な説明】
【技術分野】
【０００１】
本発明は、上下の窓を連結した段窓、左右の窓を連結した連窓や、上下左右の窓を連結した連段窓などの建具に関する。
【背景技術】
【０００２】
従来、上下の横枠および左右の縦枠が枠組みされた枠体と、枠体内に配置されたパネルとを備えた窓ユニットを無目や方立を介して縦横に連結した連段窓が知られている（特許文献１参照）。この連段窓においては、図１２に示すように、各窓ユニットの縦枠の端部間に間隙が形成されており、この間隙を覆うように縦枠１００にシール部材１４０が貼り付けられ、シール部材１４０の外面には被覆部材１３０が重ねられて枠体にネジ止めされる。また、各窓ユニットの横枠間にも間隙が形成されており、この間隙は前述同様にシール部材１４０や被覆部材１３０によって覆われている。
【先行技術文献】
【特許文献】
【０００３】
【特許文献１】特開２０１１−２４７０１５号公報
【発明の概要】
【発明が解決しようとする課題】
【０００４】
ところで、特許文献１に記載の連段窓では、枠見込み面部１０１と、枠見込み面部１０１から見付け方向に延出した枠ヒレ部１０２とを有した枠材が、縦枠１００や横枠として構成されており、シール部材１４０は、枠見込み面部１０１から枠ヒレ部１０２にわたって貼り付けられて枠材の端部間の間隙をシールしている。また、被覆部材１３０は、被覆板１３１および立設片１３２を有して断面Ｌ字形状に形成されており、被覆板１３１は枠見込み面部１０１に沿って配置されており、被覆板１３１に連続した立設片１３２は、シール部材１４０を屋内側へ押し付けつつ枠ヒレ部１０２間に配置される。そして、枠ヒレ部１０２は建物躯体２００にネジ止めされ、枠ヒレ部１０２および建物躯体２００にわたって防水シート１２０が貼り付けられる。
しかし、このように防水シート１２０を貼り付けても、被覆部材１３０の立設片１３２がシール部材１４０を屋内側へ押し付けつつ枠ヒレ部１０２間に配置されているので、枠ヒレ部１０２および立設片１３２の間でシール部材１４０が折曲されて隙間１５０が形成されてしまい、雨水が矢印Ａで示すように隙間１５０をつたって建物躯体２００側へ浸入するおそれがある。
【０００５】
本発明の目的は、止水性を向上できる建具を提供することにある。
【課題を解決するための手段】
【０００６】
本発明の建具は、屋内外を仕切る少なくとも二つの窓ユニットが連結材を介して連結された建具であって、前記各窓ユニットは、前記連結材に連結される連結枠材を含む枠材を枠組みしてなる枠体と、前記枠体内に配置された面材とを備えており、前記枠材のうち前記連結枠材の長手方向における端部に取り付けられる端枠材は、前記連結枠材に取り付けられた枠見込み面部と、前記枠見込み面部から外周側に延出した枠ヒレ部とを有しており、前記連結された窓ユニットのうちの一方の前記端枠材の端部と、前記連結された窓ユニットのうちの他方の前記端枠材の端部との間には、止水部が構成されており、前記止水部は、前記連結材に装着された装着部および前記枠ヒレ部間に配置されたヒレ構成部を有したヒレ構成部材と、前記一方の端枠材および前記他方の端枠材における前記枠見込み面部の外面および前記枠ヒレ部の屋外面に沿った止水シートと、前記枠ヒレ部よりも屋外側において前記枠見込み面部間を覆って配置されたキャップ部材とによって構成されており、前記止水シートは、前記ヒレ構成部の屋外面に沿っていることを特徴とする。
【発明の効果】
【０００７】
本発明によれば、止水性を向上できる建具を提供することができる。
【図面の簡単な説明】
【０００８】
【図１】本発明の第１実施形態に係る段窓を示す外観姿図。
【図２】第１実施形態に係る段窓の要部を示す斜視図。
【図３】第１実施形態に係る段窓の要部を展開して示す斜視図。
【図４】第１実施形態に係る段窓の要部を示す側面図。
【図５】第１実施形態に係る段窓の要部の施工を示す斜視図。
【図６】本発明の第２実施形態に係る連窓を示す外観姿図。
【図７】第２実施形態に係る連窓の要部を展開して示す斜視図。
【図８】第２実施形態に係る連窓の要部を示す平面図。
【図９】本発明の第３実施形態に係る連段窓を示す外観姿図。
【図１０】第３実施形態に係る連段窓の要部を展開して示す斜視図。
【図１１】本発明の変形例に係る建具に取り付け可能なジョイント枠を示す斜視図。
【図１２】従来技術における要部を示す斜視図。
【発明を実施するための形態】
【０００９】
［第１実施形態］
以下、本発明の第１実施形態を図面に基づいて説明する。
図１〜図５において、第１実施形態に係る建具である段窓１は、建物躯体に取り付けられて屋内外を仕切るものであって、上下の窓ユニット４Ａ，４Ｂ（上窓、下窓）と、窓ユニット４Ａ，４Ｂを連結した無目７（連結材）とを備えている。
以下の説明において、段窓１の左右方向をＸ軸方向とし、段窓１の上下方向をＹ軸方向とし、段窓１の屋内外方向（見込み方向）をＺ軸方向とする。Ｘ，Ｙ，Ｚ軸方向は互いに直交する。
【００１０】
窓ユニット４Ａ，４Ｂは、枠材としての上枠１１（横枠）、下枠１２（横枠）および左右の縦枠１３，１４によって縦勝ちに枠組みされた窓枠１０（枠体）と、窓枠１０内に配置された面材１５とを備えている。窓ユニット４Ａ，４Ｂは、本実施形態では面材１５が窓枠１０に保持された嵌め殺し窓として構成されている。上枠１１、下枠１２および左右の縦枠１３，１４はアルミ押出形材によって形成されており、面材１５は単層や複層のガラスパネルによって構成されている。
上枠１１は、Ｘ軸方向に沿った上枠本体部１１１と、上枠本体部１１１から見付け方向に延出した上枠ヒレ部１１２とを有しており、上枠本体部１１１は面材１５の上縁部を保持している。
下枠１２は、Ｘ軸方向に沿った下枠本体部１２１と、下枠本体部１２１から見付け方向に延出した下枠ヒレ部１２２とを有しており、下枠本体部１２１は面材１５の下縁部を保持している。
縦枠１３は、Ｙ軸方向に沿った枠見込み面部１３４を有した縦枠本体部１３５と、枠見込み面部１３４から見付け方向において外周側に延出した縦枠ヒレ部１３６（枠ヒレ部）とを有しており、縦枠本体部１３５は面材１５の側縁部を保持している。縦枠ヒレ部１３６の上下の端部は、縦枠本体部１３５よりも上下に突出している。
なお、縦枠１４は、縦枠１３と同様に構成されて左右逆向きに配置されているので、縦枠１３の各構成と同符号を適宜付し、縦枠１４の詳細な説明を省略する。
【００１１】
ここで、窓ユニット４Ａ（上窓）においては、下枠ヒレ部１２２は折り取られており、この折り取られた部分は図示されていない。また、上枠ヒレ部１１２の両端部は、各縦枠ヒレ部１３６の上側の端部にシール材（図示省略）を介して合わさっている。窓ユニット４Ａでは、下枠１２が無目７に連結される連結枠材として構成されており、下枠１２の長手方向における両側に端部が取り付けられた左右の縦枠１３，１４が端枠材として構成されている。
窓ユニット４Ｂ（下窓）においては、上枠ヒレ部１１２は折り取られており、この折り取られた部分は図示されていない。また、下枠ヒレ部１２２の両端部は、各縦枠ヒレ部１３６の下側の端部にシール材（図示省略）を介して合わさっている。窓ユニット４Ａでは、上枠１１が無目７に連結される連結枠材として構成されており、上枠１１の長手方向における両側に端部が取り付けられた左右の縦枠１３，１４が端枠材として構成されている。前述した窓ユニット４Ａ，４Ｂの各縦枠ヒレ部１３６の端部間には間隙が形成されている。
なお、無目７と下枠１２および上枠１１との端部間には、水密材７８（図３参照）が設置されている。
【００１２】
無目７はアルミ押出形材によって形成されている。無目７は、図３に示すように、中空枠部７５と、中空枠部７５から屋外側に延出した延出見込み面部７６と、延出見込み面部７６の屋外端部に連続した屋外見付け面部７７とを有しており、無目７の屋内側には樹脂製の無目カバー９が取り付けられている。中空枠部７５には、図示しないが後述するヒレ構成部材８１の係合爪８１３が係合する係合溝が形成されている。
【００１３】
図２に示すように、窓ユニット４Ａの縦枠１３の下端部と窓ユニット４Ｂの縦枠１３の上端部との間には、止水部８０が構成されている。止水部８０は、図３に示すように、無目７に装着されるヒレ構成部材８１と、ヒレ構成部材８１に装着された弾性止水部材８２と、窓ユニット４Ａ，４Ｂの縦枠１３の端部間を止水する止水シート８４と、縦枠ヒレ部１３６よりも屋外側において枠見込み面部１３４間を覆うキャップ部材８５とによって構成されており、キャップ部材８５の止水シート側の面にはシーラー８３（水密材）が設けられる。シーラー８３はスポンジ状のブチルゴムによってシート状に形成されている。
ヒレ構成部材８１は、樹脂製であり、無目７の中空枠部７５に差し込まれて装着される装着部８１１と、装着部８１１からＸ軸方向に延出していると共に縦枠ヒレ部１３６間に配置されたヒレ構成部８１２とを有しており、装着部８１１には、中空枠部７５の係合溝（図示省略）に係合可能な係合爪８１３が形成されている。
弾性止水部材８２は、ヒレ構成部８１２が挿通される切込み８２１が形成されたスポンジ状のブチルゴムによって構成されており、ヒレ構成部８１２が切込み８２１に挿通された装着状態では、装着部８１１およびヒレ構成部８１２の連続部分に位置し、無目７およびヒレ構成部８１２の間に配置され、上下の水密材７８に接触（図３，５参照）して止水ラインを形成する。
止水シート８４は、上下の枠見込み面部１３４から縦枠ヒレ部１３６およびヒレ構成部８１２にわたって貼り付けられており、これにより、枠見込み面部１３４の外面から縦枠ヒレ部１３６およびヒレ構成部８１２の双方の屋外面に沿って位置している。
シーラー８３が設けられたキャップ部材８５は、アルミ製であり、図２に示すように、止水シート８４に重ねられて窓ユニット４Ａの下枠１２、窓ユニット４Ｂの上枠１１および無目７にネジ止めされている。このキャップ部材８５は、図４に示すように縦枠ヒレ部１３６よりも屋外側において枠見込み面部１３４間を覆って配置されている。
なお、窓ユニット４Ａの縦枠１４の下端部と窓ユニット４Ｂの縦枠１４の上端部との間にも前述同様に止水部８０が構成されている。
【００１４】
前述した止水部８０の施工手順は次の通りである。まず、弾性止水部材８２を装着したヒレ構成部材８１を準備し、ヒレ構成部材８１の装着部８１１を無目７の端部から中空枠部７５内に挿入して当該中空枠部７５に係合する(図５参照)。このとき、ヒレ構成部８１２は、上下の縦枠ヒレ部１３６間に位置する（図４参照）。次に、枠見込み面部１３４の外面と縦枠ヒレ部１３６およびヒレ構成部８１２の屋外面にわたって止水シート８４を貼り付ける。最後に、キャップ部材８５を止水シート８４に重ね、シーラー８３を止水シート８４に押し当てながら、キャップ部材８５を窓ユニット４Ａの下枠１２、窓ユニット４Ｂの上枠１１および無目７にネジ止めする。なお、弾性止水部材８２はキャップ部材８５によって圧縮される。このようにして止水部８０を構成する。
【００１５】
（１）第１実施形態の段窓１は、建物躯体に取り付けられた後に、縦枠ヒレ部１３６およびヒレ構成部８１２から建物躯体の外壁面にわたって防水シート１２０（図２参照）が貼り付けられる。このとき、ヒレ構成部材８１がキャップ部材８５と別部材で構成されているのでヒレ構成部８１２を止水シート８４に対して屋内側に配置でき、止水シート８４を縦枠ヒレ部１３６およびヒレ構成部８１２の双方の屋外面に沿って設けられる。このため、止水シート８４が縦枠ヒレ部１３６とヒレ構成部８１２との間で折曲されて当該止水シート８４と防水シート１２０と間に隙間が形成されるおそれを低減でき、屋外の雨水が前記隙間をつたって建物躯体側へ浸入することを抑制できる。
（２）無目７およびヒレ構成部８１２の間を止水する弾性止水部材８２をキャップ部材８５によって圧縮することで、弾性止水部材８２による止水性を向上できる。
（３）このように連結された窓ユニット４Ａ，４Ｂの縦枠１３，１４の端部間における止水性を向上できる段窓１を構成することができる。
【００１６】
［第２実施形態］
以下、本発明の第２実施形態を図面に基づいて説明する。
図６〜図８において、第２実施形態に係る建具である連窓２は、建物躯体に取り付けられて屋内外を仕切るものであって、左右の窓ユニット５Ａ，５Ｂと、窓ユニット５Ａ，５Ｂを連結した方立８（連結材）とを備えている。
以下の説明において、連窓２の左右方向をＸ軸方向とし、連窓２の上下方向をＹ軸方向とし、連窓２の屋内外方向（見込み方向）をＺ軸方向とする。
【００１７】
窓ユニット５Ａ，５Ｂ自体の構成は、前述した窓ユニット４Ａ，４Ｂの構成と概略同様に窓枠１０および面材１５を備えているが、窓枠１０の枠ヒレ折取り部分が異なっている。
窓ユニット５Ａにおいては、縦枠１４の縦枠ヒレ部１３６は折り取られており、この折り取られた部分は図示されていない。また、縦枠１３の縦枠ヒレ部１３６の両端部は、上枠ヒレ部１１２（枠ヒレ部）および下枠ヒレ部１２２（枠ヒレ部）の端部にシール材（図示省略）を介して合わさっている。窓ユニット５Ａでは、縦枠１４が方立８に連結される連結枠材として構成されており、縦枠１４の長手方向における両側に端部が取り付けられた上枠１１および下枠１２が端枠材として構成されている。
窓ユニット５Ｂにおいては、縦枠１３の縦枠ヒレ部１３６は折り取られており、この折り取られた部分は図示されていない。また、縦枠１４の縦枠ヒレ部１３６の両端部は、上枠ヒレ部１１２および下枠ヒレ部１２２の端部にシール材（図示省略）を介して合わさっている。窓ユニット５Ｂでは、縦枠１３が方立８に連結される連結枠材として構成されており、縦枠１３の長手方向における両側に端部が取り付けられた上枠１１および下枠１２が端枠材として構成されている。前述した窓ユニット５Ａ，５Ｂの上枠ヒレ部１１２の端部間と下枠ヒレ部１２２の端部間とには、間隙がそれぞれ形成されている。
【００１８】
方立８はアルミ押出形材によって形成されている。方立８は、図７および図８に示すように、中空枠部５５と、中空枠部５５から屋外側に延出した延出見込み面部５６と、延出見込み面部５６の屋外端部に連続した屋外見付け面部５７とを有しており、方立８の屋内側には樹脂製の方立カバー９Ａが取り付けられている。中空枠部５５には、ヒレ構成部材８１Ａが係合する係合溝が形成されている。
【００１９】
図６に示すように、窓ユニット５Ａ，５Ｂの上枠１１の端部間と、窓ユニット５Ａ，５Ｂの下枠１２の端部間とには、止水部８０Ａが構成されている。
止水部８０Ａは、前述した止水部８０と概略同様に構成されている。上枠１１の端部間に構成される止水部８０Ａは、図７に示すように、ヒレ構成部材８１Ａと、弾性止水部材８２Ａと、止水シート８４Ａと、シーラー８３Ａが設けられたキャップ部材８５Ａとによって構成されている。
ヒレ構成部材８１Ａは、樹脂製であり、方立８の中空枠部５５に差し込まれて装着される装着部８１１Ａと、装着部８１１ＡからＸ軸方向に延出していると共に上枠ヒレ部１１２間に配置されたヒレ構成部８１２Ａとを有しており、装着部８１１Ａには、中空枠部５５に形成された係合溝（図示省略）に係合可能な係合爪８１３Ａが形成されている。
弾性止水部材８２Ａは、ヒレ構成部８１２Ａが挿通される切込み８２１Ａが形成されたスポンジ状のブチルゴムによって構成されており、ヒレ構成部８１２Ａが切込み８２１Ａに挿通された装着状態では、装着部８１１Ａおよびヒレ構成部８１２Ａの連続部分に位置し、方立８およびヒレ構成部８１２Ａの間に配置される。
止水シート８４Ａは、枠見込み面部１１４から上枠ヒレ部１１２およびヒレ構成部８１２Ａにわたって貼り付けられており、これにより、枠見込み面部１１４の外面から上枠ヒレ部１１２およびヒレ構成部８１２Ａの双方の屋外面に沿って位置している。
シーラー８３Ａが設けられたキャップ部材８５Ａはアルミ製であり、図７に示すように、止水シート８４Ａに重ねられて方立８にネジ止めされている。このキャップ部材８５Ａは、図８に示すように上枠ヒレ部１１２よりも屋外側において枠見込み面部１１４間を覆って配置されている。
なお、下枠１２の端部間に構成される止水部８０Ａも、上枠１１の端部間に構成される止水部８０Ａと同様に構成されて配置される。
【００２０】
前述した止水部８０Ａの施工手順は次の通りである。まず、弾性止水部材８２Ａを装着したヒレ構成部材８１Ａを準備し、ヒレ構成部材８１Ａの装着部８１１Ａを方立８の端部から中空枠部５５内に挿入して当該中空枠部５５に係合する。このとき、ヒレ構成部８１２Ａは左右の上枠ヒレ部１１２間に位置する。次に、枠見込み面部１１４の外面と上枠ヒレ部１１２およびヒレ構成部８１２Ａの屋外面にわたって止水シート８４Ａを貼り付ける。最後に、キャップ部材８５Ａを止水シート８４Ａに重ね、シーラー８３Ａを止水シート８４に押し当てながら、キャップ部材８５Ａを方立８にネジ止めする。なお、弾性止水部材８２Ａはキャップ部材８５Ａによって圧縮される。このようにして止水部８０Ａを構成する。
以上の連窓２によれば、前述した段窓１の止水部８０と同様の作用効果を発揮できる止水部８０Ａを構成できる。
【００２１】
［第３実施形態］
以下、本発明の第３実施形態を図面に基づいて説明する。
図９および図１０において、第３実施形態に係る建具である連段窓３は、建物躯体に取り付けて屋内外を仕切るものであって、無目７を介して上下に連結される窓ユニット４Ａ（第一窓ユニット）および窓ユニット４Ｂ（第二窓ユニット）と、窓ユニット４Ａ，４Ｂの側方に方立８を介して連結される窓ユニット６（第三窓ユニット）とを備えている。
以下の説明において、連段窓３の左右方向をＸ軸方向とし、連段窓３の上下方向をＹ軸方向とし、連段窓３の屋内外方向（見込み方向）をＺ軸方向とする。
【００２２】
窓ユニット４Ａ，４Ｂおよび無目７を前述した段窓１と同様に構成された段窓ユニット１Ａとされている。段窓ユニット１Ａにおいては、各縦枠１４の縦枠ヒレ部１３６が部分的に折り取られて幅寸法が短くされており、上下の縦枠１４は方立８に連結されている。
窓ユニット６は、上枠１１、下枠１２および左右の縦枠１３，１４を枠組みしてなる窓枠１０と、窓枠内に配置された面材１５とを備えており、縦枠１３の縦枠ヒレ部１３６が折り取られている。窓ユニット６においては、縦枠１３が方立８に連結された連結枠材として構成されており、縦枠１３の長手方向における両側に端部が取り付けられた上枠１１および下枠１２が端枠材として構成されている。
この連段窓３において、段窓ユニット１Ａの縦枠１３の端部間には止水部８０Ａが構成されており、窓ユニット４Ａ，６の上枠１１の端部間と窓ユニット４Ｂ，６の下枠１２の端部間には止水部８０Ａが構成されており、これにより、連段窓３の外周における縦枠１３の端部間、上枠１１の端部間および下枠１２の端部間を止水している。
【００２３】
連段窓３では無目７の方立８側の端部に止水部８０Ｂが構成されている（図１０参照）。止水部８０Ｂは、段窓ユニット１Ａの上下の縦枠１４の端部間を止水するものであり、前述した止水部８０と概略同様に構成されているが、ヒレ構成部材８１のヒレ構成部８１２が部分的に折り取られて縦枠１４の縦枠ヒレ部１３６と同じ幅寸法とされており、また、止水シート８４は、縦枠ヒレ部およびヒレ構成部８１２の屋外側から屋内側までにわたって設けられている。
方立８に連結された縦枠１４の縦枠ヒレ部１３６と止水部８０Ｂのヒレ構成部８１２とのＹ軸方向に沿った外側縁は、方立８にＹ軸方向に沿って設けられた気密材８Ａに当接して止水ラインを構成する。
以上の連段窓３によれば、第１、第２実施形態と同様の作用効果を発揮できるうえ、無目７と方立８を合わせる部分でも止水部８０と概略同様の止水部８０Ｂを構成することで、部品の共通化および施工の簡略化ができ、コストダウンを図れる。
【００２４】
[変形例]
第１〜第３実施形態では、上枠ヒレ部１１２、下枠ヒレ部１２２および縦枠ヒレ部１３６が建物躯体に取り付けられるが、既設枠に取付可能なジョイント枠を上枠１１、下枠１２および縦枠１３，１４に取り付けてもよい。例えば図１１に示すように、段窓１の上下の縦枠１４をジョイント枠２０に取り付けてもよい。この場合、各縦枠１４の縦枠ヒレ部１３６は部分的に折り取られて幅寸法が短くされており、縦枠１４の端部間に構成される止水部８０におけるヒレ構成部８１２も部分的に折り取られて幅寸法が短くされている。また、縦枠ヒレ部１３６およびヒレ構成部８１２のＹ軸方向に沿った外側縁は、ジョイント枠２０にＹ軸方向に沿って設けられた気密材２１に当接して止水ラインを構成する。
このようにジョイント枠２０に取り付けることで、既設枠に新たな段窓１、連窓２や連段窓３が設置可能となる。
第１〜第３実施形態では、止水部８０，８０Ａ，８０Ｂは弾性止水部材８２，８２Ａを備えているが、無目７や方立８とヒレ構成部材８１，８１Ａのヒレ構成部８１２，８１２Ａとの間を止水する必要がない場合や、弾性止水部材８２，８２Ａを設置しなくても止水可能である場合には、弾性止水部材８２，８２Ａを省略してもよい。
第１〜第３実施形態では、止水部８０，８０Ａ，８０Ｂは、キャップ部材８５，８５Ａにシーラー８３，８３Ａが設けられているが、シーラー８３，８３Ａがなくても十分に止水可能である場合にはこれらの構成を省略してもよい。
第３実施形態では、無目７の方立８側の端部に止水部８０Ｂが構成されているが、この部分を止水する必要がない場合には、止水部８０Ｂを省略してもよく、また、他の止水構造によって止水する場合には、止水部８０Ｂに代えて他の止水構造を構成してもよい。
第３実施形態では、段窓ユニット１Ａの側方に一枚の面材１５を備えた窓ユニット６を配置して連段窓３を構成しているが、これに限らず、例えば段窓ユニット１Ａ（第一窓ユニットおよび第二窓ユニットで構成）に対して他の段窓ユニット（第三窓ユニット）を方立８を介して左右に連結して連段窓を構成してもよく、この場合、各無目７の方立８側の端部に止水部８０Ｂを構成してもよい。
【００２５】
[本発明のまとめ]
本発明の建具は、屋内外を仕切る少なくとも二つの窓ユニットが連結材を介して連結された建具であって、前記各窓ユニットは、前記連結材に連結される連結枠材を含む枠材を枠組みしてなる枠体と、前記枠体内に配置された面材とを備えており、前記枠材のうち前記連結枠材の長手方向における端部に取り付けられる端枠材は、前記連結枠材に取り付けられた枠見込み面部と、前記枠見込み面部から外周側に延出した枠ヒレ部とを有しており、前記連結された窓ユニットのうちの一方の前記端枠材の端部と、前記連結された窓ユニットのうちの他方の前記端枠材の端部との間には、止水部が構成されており、前記止水部は、前記連結材に装着された装着部および前記枠ヒレ部間に配置されたヒレ構成部を有したヒレ構成部材と、前記一方の端枠材および前記他方の端枠材における前記枠見込み面部の外面および前記枠ヒレ部の屋外面に沿った止水シートと、前記枠ヒレ部よりも屋外側において前記枠見込み面部間を覆って配置されたキャップ部材とによって構成されており、前記止水シートは、前記ヒレ構成部の屋外面に沿っていることを特徴とする。
本発明の建具によれば、ヒレ構成部材がキャップ部材と別部材で構成されているので、ヒレ構成部を止水シートに対して屋内側に配置でき、止水シートを枠見込み面部の外面から枠ヒレ部およびヒレ構成部の双方の屋外面に連続して設けることができる。このため、建具を建物躯体へ取り付け、防水シートを枠ヒレ部およびヒレ構成部から建物躯体にわたって設けた場合、例えばヒレ構成部が止水シートに対して屋外側に位置する建具と比べて、枠ヒレ部およびヒレ構成部の間で止水シートが折曲されて防水シートとの間に隙間が形成されるおそれを低減でき、雨水が前記隙間をつたって建物躯体側へ浸入することを抑制できる。このように止水性を向上できる。
【００２６】
本発明の建具では、前記ヒレ構成部材には、前記連結材および前記ヒレ構成部の間に配置される弾性止水部材が装着されており、前記弾性止水部材のうち前記ヒレ構成部よりも屋外側に位置する部分は、前記キャップ部材によって圧縮されていてもよい。
このような構成によれば、止水シートによる止水のほか、弾性止水部材によって連結材およびヒレ構成部の間を止水する構成にでき、更に、弾性止水部材をキャップ部材によって圧縮することで、当該弾性止水部材による止水性を向上できる。
【００２７】
本発明の建具では、前記枠体は、前記枠材として上下の横枠および左右の縦枠を備えており、前記連結される窓ユニットのうちの一方の窓ユニットにおいては、前記上下の横枠のうち下側の横枠が前記連結枠材として構成され、且つ、前記左右の縦枠が前記端枠材として構成されており、前記連結される窓ユニットのうちの他方の窓ユニットにおいては、前記上下の横枠のうち上側の横枠が前記連結枠材として構成され、且つ、前記左右の縦枠が前記端枠材として構成されており、前記連結材は、前記一方の窓ユニットの前記下側の横枠と前記他方の窓ユニットの前記上側の横枠とが連結された無目によって構成されていてもよい。
このような構成によれば、連結された窓ユニットの縦枠の端部間における止水性を向上できる段窓を構成することができる。
【００２８】
本発明の建具では、前記枠体は、前記枠材として上下の横枠および左右の縦枠を備えており、前記連結される窓ユニットのうちの一方の窓ユニットにおいては、前記左右の縦枠のうち右側の縦枠が前記連結枠材として構成され、且つ、前記上下の横枠が前記端枠材として構成されており、前記連結される窓ユニットのうちの他方の窓ユニットにおいては、前記左右の縦枠のうち左側の縦枠が前記連結枠材として構成され、且つ、前記上下の横枠が前記端枠材として構成されており、前記連結材は、前記一方の窓ユニットの前記右側の縦枠と前記他方の窓ユニットの前記左側の縦枠とが連結された方立によって構成されていてもよい。
このような構成によれば、連結された窓ユニットの横枠の端部間における止水性を向上できる連窓を構成することができる。
【００２９】
本発明の建具では、前記各窓ユニットのうちの少なくとも一つの第一窓ユニットは、前記第一窓ユニットに対して上下方向に隣り合う第二窓ユニットに無目を介して上下に連結されていると共に、前記第一窓ユニットおよび前記第二窓ユニットに対して左右方向に隣り合う第三窓ユニットに方立を介して左右に連結されており、前記枠体は、前記枠材として上下の横枠および左右の縦枠を備えており、前記第一窓ユニット、前記第二窓ユニットおよび前記第三窓ユニットにおいては、前記上下の横枠のうち前記無目側に位置する横枠および前記左右の縦枠のうち前記方立側に位置する縦枠が前記連結枠材としてそれぞれ構成され、且つ、前記建具の外周を構成していると共に前記連結枠材の端部に位置する縦枠および横枠が前記端枠材としてそれぞれ構成されており、前記連結材は、前記窓ユニットの前記各連結枠材が連結された前記無目および前記方立によって構成されていてもよい。
このような構成によれば、各端枠材の端部間における止水性を向上できる連段窓を構成することができる。
【００３０】
本発明の建具では、前記止水部は、更に、前記方立に連結された前記連結枠材における前記無目側の端部間に構成されており、前記方立に連結された前記連結枠材の前記枠ヒレ部と前記止水部の前記ヒレ構成部との上下方向に沿った外側縁は、前記方立に上下方向に沿って設けられた気密材に当接していてもよい。
このような構成によれば、端枠材の端部間と前記連結枠材の端部間とに同様の止水部を構成することで、部品の共通化および施工の簡略化ができ、コストダウンを図れる。
【符号の説明】
【００３１】
１…段窓（建具）、１０…窓枠、１３，１４…縦枠、１０１，１１４，１３４…枠見込み面部、１１…上枠、１１２…上枠ヒレ部、１２…下枠、１２０…防水シート、１２２…下枠ヒレ部、１３６…縦枠ヒレ部、１５…面材、１Ａ…段窓ユニット、２…連窓（建具）、２０…ジョイント枠、２１，８Ａ…気密材、３…連段窓（建具）、４Ａ，４Ｂ，５Ａ，５Ｂ，６…窓ユニット、５５，７５…中空枠部、５６，７６…延出見込み面部、５７，７７…屋外見付け面部、７…無目、８…方立、８０，８０Ａ，８０Ｂ…止水部、８１，８１Ａ…ヒレ構成部材、８１１，８１１Ａ…装着部、８１２，８１２Ａ…ヒレ構成部、８１３，８１３Ａ…係合爪、８２，８２Ａ…弾性止水部材、８２１，８２１Ａ…切込み、８３，８３Ａ…シーラー、８４，８４Ａ…止水シート、８５，８５Ａ…キャップ部材。
【図１】
2020016110.tif 000003
【図２】
2020016110.tif 000004
【図３】
2020016110.tif 000005
【図４】
2020016110.tif 000006
【図５】
2020016110.tif 000007
【図６】
2020016110.tif 000008
【図７】
2020016110.tif 000009
【図８】
2020016110.tif 000010
【図９】
2020016110.tif 000011
【図１０】
2020016110.tif 000012
【図１１】
2020016110.tif 000013
【図１２】
2020016110.tif 000014